(57)【要約】【課題】押込方式において、パネル孔部への挿着作業性が向上する可撓グロメット管を得る。【解決手段】  パネル挿着部３にはフランジ部５が設けられ、更にフランジ部５に隣接して先端側をテーパ面として孔部に挿し込むための挿込部６が設けられ、フランジ部５と挿込部６との間にパネル孔部の縁部に嵌まり込む環条溝７が形成されている。パネル挿込部６の先端周縁部の形状は略楕円形とされ、挿込部６の先端周縁部の外周縁の外径Ｃの中心ｃは、内周縁の内径Ｄの中心ｄ及び挿込部６の外周の外径Ｅに対し偏心して設けられている。  パネル孔部への挿し込みに際しては、挿込部６の径方向の幅が大きい部分から孔部に対し斜めに挿着し、更にこの部分を支点として反対側を回動するように押し込んで挿入すると、挿入される部分の径方向の幅は小さく、かつ容積が小さいために、容易に挿着することができる。【選択図】図５
2007184187.tif 000002
【特許請求の範囲】
【請求項１】
管端部をパネル孔部に取り付けるために、前記管端部に前記パネル孔部の周縁に当接するためのフランジ部を設け、先端側をテーパ面とし前記パネル孔部に挿し込み抜け出しを防止する環状の挿込部を前記フランジ部に隣接して設け、前記フランジ部と前記挿込部との間に環条溝を形成した合成ゴム又は合成樹脂から成る可撓グロメット管において、前記挿込部の先端周縁部の外周縁を内周縁に対し、これらの内の幅を片側は広く対向側では狭くなるように変化させたことを特徴とする可撓グロメット管。
【請求項２】
前記先端周縁部の幅の変化は外周縁の中心と内周縁の中心とを偏心させることにより形成したことを特徴とする請求項１に記載の可撓グロメット管。
【請求項３】
前記挿込部は略楕円形の前記外周縁と内周縁とを有することを特徴とする請求項１又は２に記載の可撓グロメット管。
【請求項４】
前記環条溝の前記端縁部からの高さ位置を、前記先端周縁部の幅が大きい部分ほど小さくしたことを特徴とする請求項１に記載の可撓グロメット管。
【発明の詳細な説明】
【技術分野】
【０００１】
本発明は、電線を挿通し管端部をパネルに取り付ける可撓グロメット管に関するものである。
【背景技術】
【０００２】
例えば、自動車の車体内に配策する電線を束ねたワイヤハーネスを車体パネルの孔部に挿着し、孔部の挿通部分におけるワイヤハーネスを保護し、防水、防塵のために、ワイヤハーネスをゴム製の可撓グロメット管を使用することが多い。
【０００３】
このように、グロメット管を車体パネルの孔部に挿着する場合に、２通りの方法があり、グロメット管の管端部をパネル孔部に対してパネル外部から押し込む押込方式と、パネル内部から引き込む引込方式がある。
【発明の開示】
【発明が解決しようとする課題】
【０００４】
特に、パネル孔部に対し押し込む押込方式については、パネル孔部の径よりも大きな挿込部を１〜２回の操作で孔部に押し込むことが困難であり、数回の押し込みを繰り返して試行しながら孔部に押し込んでいる。
【０００５】
本発明の目的は、上述の問題点を解消し、押込方式においてパネル孔部への挿着作業性が向上する可撓グロメット管を提供することにある。
【課題を解決するための手段】
【０００６】
上述の目的を達成するための本発明に係る可撓グロメット管の技術的特徴は、管端部をパネル孔部に取り付けるために、前記管端部に前記パネル孔部の周縁に当接するためのフランジ部を設け、先端側をテーパ面とし前記パネル孔部に挿し込み抜け出しを防止する環状の挿込部を前記フランジ部に隣接して設け、前記フランジ部と前記挿込部との間に環条溝を形成した合成ゴム又は合成樹脂から成る可撓グロメット管において、前記挿込部の先端周縁部の外周縁を内周縁に対し、これらの内の幅を片側は広く対向側では狭くなるように変化させたことにある。
【発明の効果】
【０００７】
本発明に係る可撓グロメット管によれば、簡便な押し込み操作で管端部の挿込部をパネル孔部に挿着することができる。
【発明を実施するための最良の形態】
【０００８】
本発明を図示の実施例に基づいて詳細に説明する。
図１は正面図、図２は側面図、図３は要部の平面図、図４は底面図である。可撓グロメット管１は例えば自動車の車体とドア間に配置して、その間に配索するワイヤハーネスを挿通して保護するものであり、柔軟性を有する合成ゴム又は合成樹脂から成り、例えば蛇腹２による可撓性を備えている。
【０００９】
可撓グロメット管１の両端には、車体パネル及びドアパネルの孔部に取り付けるための略楕円形状の開口を有する環状のパネル挿着部３、４がそれぞれ設けられている。パネル挿着部３、４には、パネル孔部の周縁面に当接するフランジ部５が設けられ、更にフランジ部５に隣接して先端側をテーパ面として孔部に挿し込むための挿込部６が設けられている。そして、フランジ部５と挿込部６との間にパネル孔部の縁部に嵌まり込む環条溝７が形成されている。なお、パネル挿着部３にはテープを巻き付けてワイヤハーネスを固定するための支持枠８が設けられており、他方のパネル挿着部４には筒部９が付設されている。
【００１０】
図５、図６はパネル挿着部３の図３の短軸方向から見たＡ−Ａ線に沿った拡大断面図、長軸方向から見たＢ−Ｂ線に沿った拡大断面図を示している。図４にも示すように、パネル挿込部６の先端周縁部の形状は略楕円形とされ、挿込部６の先端周縁部の外周縁の外径Ｃの中心ｃは、内周縁の内径Ｄの中心ｄ及び挿込部６の外周の外径Ｅに対し偏心して設けられている。従って、挿込部６の先端周縁部の径方向の幅は偏心方向の一方側においては大きく、他方側においては小さくなっている。これにより、挿込部６のテーパ面も、内縁部の幅が広いほど、その傾斜は大きくなっている。なお、この偏心はどの方向であってもよいが、実施例では楕円の長軸と短軸の中間方向を偏心軸としている。
【００１１】
環条溝７は挿込部６の先端周縁部に対し稍々傾斜して形成され、先端周縁部の径方向の幅が大きい部分における環条溝７の高さＨは先端周縁部からは大きく、径方向の幅が小さい部分における環条溝７の高さｈは小さくされている。つまり、径方向の幅が大きい部分の挿込部６の容積は大きく、小さい側に比較して変形し難くなっている。
【００１２】
図７に示すように、パネル１１の孔部１２への挿し込みに際しては、挿込部６の径方向の幅が大きい部分から孔部１２に対し斜めに挿着し、更にこの部分を支点として反対側を回動するように押し込んで挿入すると、挿入される部分の径方向の幅は小さく、かつ容積が小さいために、容易に挿着することができる。このように、グロメット管１のパネル挿着部３を２段階の操作で挿着することにより、作業が容易になる。
【００１３】
なお、この孔部１２への挿着はグロメット管１にワイヤハーネスの電線束を挿着してから挿着してもよいし、電線束は挿着後に挿通してもよい。
【００１４】
パネル１１の孔部１２への挿着後は、図８に示すように孔部１２の縁部は環状溝５に嵌まり込むと共に、フランジ部５はパネル１２の面に密着する。そして、挿込部６はパネル１２に対しフランジ部５の反対面に位置し、抜け出しが防止される。
【図面の簡単な説明】
【００１５】
【図１】可撓グロメット管の正面図である。
【図２】側面図である。
【図３】要部の平面図である。
【図４】要部の底面図である。
【図５】図３のＡ−Ａ線に沿った拡大断面図である。
【図６】図３のＢ−Ｂ線に沿った拡大断面図である。
【図７】パネル孔部に挿入する状態の説明図である。
【図８】パネル孔部に挿着した状態の断面図である。
【符号の説明】
【００１６】
１  グロメット管
２  蛇腹
３、４  パネル挿着部
５  フランジ部
６  挿込部
７  環状溝
１１  パネル
１２  孔部
【図１】
2007184187.tif 000003
【図２】
2007184187.tif 000004
【図３】
2007184187.tif 000005
【図４】
2007184187.tif 000006
【図５】
2007184187.tif 000007
【図６】
2007184187.tif 000008
【図７】
2007184187.tif 000009
【図８】
2007184187.tif 000010